(57)【要約】【課題】圧迫治療を着用者の体に適用するための圧迫スリーブを提供すること。【解決手段】上記スリーブは、材料のパネルであって、該パネルは、上部近位エッジ、下部遠位エッジ、両側の第１および第２の側部エッジ、並びに該近位エッジから該遠位エッジに延在する長手方向軸と、第１の上部過渡エッジであって、該第１の上部過渡エッジは、該上部近位エッジから該第１の側部エッジに延在し、概ね凹状または線形の形状のうちの１つを有する、第１の上部過渡エッジと、第２の下部過渡エッジであって、該第２の下部過渡エッジは、該下部遠位エッジから該第１の側部エッジに延在し、概ね凹状または線形の形状を有する、第２の下部過渡エッジとを含む、材料のパネルと、該パネルに取り付けられた少なくとも１つの膨張可能な嚢と、該着用者の体に巻かれた構成において該パネルを固定するためのファスナーとを含む。【選択図】図２
2013078572.tif 000002
【特許請求の範囲】
【請求項１】
圧迫治療を着用者の体に適用するための圧迫スリーブであって、該スリーブは、
材料のパネルであって、該パネルは、
上部近位エッジ、下部遠位エッジ、両側の第１および第２の側部エッジ、並びに該近位エッジから該遠位エッジに延在する長手方向軸と、
第１の上部過渡エッジであって、該第１の上部過渡エッジは、該上部近位エッジから該第１の側部エッジに延在し、概ね凹状または線形の形状のうちの１つを有する、第１の上部過渡エッジと、
第２の下部過渡エッジであって、該第２の下部過渡エッジは、該下部遠位エッジから該第１の側部エッジに延在し、概ね凹状または線形の形状を有する、第２の下部過渡エッジと
を含む、材料のパネルと、
該パネルに取り付けられた少なくとも１つの膨張可能な嚢と、
該着用者の体に巻かれた構成において該パネルを固定するためのファスナーと
を含む、圧迫スリーブ。
【請求項２】
前記第１の上部過渡エッジは、前記第２の下部過渡エッジより長い、請求項１に記載の圧迫スリーブ。
【請求項３】
前記第１の上部過渡エッジおよび前記第２の下部過渡エッジは、凹状の形状である、請求項１または２に記載の圧迫スリーブ。
【請求項４】
前記パネルは、前記上部近位エッジから前記第２の側部エッジまで延在する第３の上部過渡エッジと、前記下部遠位エッジから該第２の側部エッジまで延在する第４の下部過渡エッジとをさらに含み、該第３の上部過渡エッジは、概ね凹状または線形の形状を有し、該第４の下部過渡エッジは、概ね凹状または線形の形状を有する、請求項１〜３のいずれかに記載の圧迫スリーブ。
【請求項５】
前記第１の上部過渡エッジ、前記第２の下部過渡エッジ、前記第３の上部過渡エッジおよび前記第４の下部過渡エッジは各々、凹状の形状である、請求項４に記載の圧迫スリーブ。
【請求項６】
前記スリーブは、該スリーブから延在する任意の細長い固定ストラップを有していない、請求項１〜５のいずれかに記載の圧迫スリーブ。
【請求項７】
前記パネルは、前記上部近位エッジ、前記下部遠位エッジ、前記第１および第２の側部エッジ、並びに前記第１の上部過渡エッジおよび前記第２の下部過渡エッジを含む外周を有し、該外周は、概ね細長い８角形の形状を有する、請求項１に記載の圧迫スリーブ。
【請求項８】
前記パネルは、前記上部近位エッジ、前記下部遠位エッジ、前記第１および第２の側部エッジ、並びに前記第１の上部過渡エッジおよび前記第２の下部過渡エッジを含む外周を有し、該外周は、概ね細長い６角形の形状を有する、請求項１に記載の圧迫スリーブ。
【請求項９】
前記パネルは、前記第２の側部エッジに沿ってフラップに分裂し、該第２の側部エッジにおいて２つのフラップが存在し、該２つのフラップの各々は、該第２の側部エッジのそれぞれの端部に隣接して位置決めされており、該パネルは、該２つのフラップの間に、該フラップのうちの１つの幅と少なくとも等しい幅を有する凹部をさらに含む、請求項１〜８のいずれかに記載の圧迫スリーブ。
【請求項１０】
前記２つのフラップは、互いから分岐する方向で前記パネルから延在する、請求項９に記載の圧迫スリーブ。
【請求項１１】
前記パネルは、下部パネル部分と上部パネル部分とを含み、該下部パネル部分は、前記上部近位エッジ、前記下部遠位エッジ、前記第１および第２の側部エッジ、並びに前記第１の上部過渡エッジおよび前記第２の下部過渡エッジを含み、該上部パネル部分は、上部近位エッジ、下部遠位エッジ、第１および第２の側部エッジ、並びに該上部近位エッジと該第１の側部エッジとの間に延在する第１の上部過渡エッジを含み、該第１の上部過渡エッジは、概ね凹状または線形の形状である、請求項１に記載の圧迫スリーブ。
【請求項１２】
前記上部パネル部分は、前記上部近位エッジと前記第２の側部エッジとの間に延在する第２の上部過渡エッジをさらに含み、該第２の上部過渡エッジは、概ね凹状または線形の形状である、請求項１１に記載の圧迫スリーブ。
【請求項１３】
前記上部パネル部分は、概ね６角形の形状を有する、請求項１１に記載の圧迫スリーブ。
【請求項１４】
圧迫治療を着用者の四肢に適用するための圧迫衣類であって、該衣類は、少なくとも１つの膨張可能な嚢を含む圧迫スリーブを含み、該スリーブは、少なくとも６個のエッジを含む外周を有し、該スリーブは、圧迫治療を該四肢に適用するために、少なくとも１つの嚢が該四肢を囲むように、該着用者の四肢を巻くように構成されており、該スリーブの形状は、該着用者の該四肢に一致して、該四肢において所定の位置に該スリーブを保つ、圧迫衣類。
【請求項１５】
前記スリーブの前記エッジは、概して細長い８角形の形状で配列された８個のエッジを含む、請求項１４に記載の圧迫衣類。
【発明の詳細な説明】
【技術分野】
【０００１】
（発明の分野）
本発明は、２０１１年９月３０日に出願された米国特許出願第１３／２４９，４６５号の利益および優先権を主張する。上記文献の全容は、本明細書において参照することによって援用される。
【０００２】
本発明は、概して圧迫スリーブに関し、特に圧迫衣類に関する。
【背景技術】
【０００３】
（本発明の背景）
断続圧迫を四肢に適用するためのアクティブな圧迫衣類は、深静脈血栓予防、浮腫防止、および傷癒合を支援することを含む多くの用途を有する。このような圧迫衣類の性能は、その最初のテンションを保持するためのスリーブの能力と、脚の周りにその元の位置を保持するための膨張可能な嚢の能力とに左右される。これは、圧迫衣類が歩行（例えば、歩き、座り、立ち上り、または転がり）の間または後に使用される場合に、非常に難しくあり得る。この衣類は、四肢（特に、脚）を滑り落ちる傾向があり、不快感および脚に対する衣類内の膨張可能な嚢の取り付け不良を引き起こす。従って、衣類は、使用時「ステイアップ（ｓｔａｙ  ｕｐ）」の必要がある。このような圧迫衣類のステイアップ能力は、効果的圧迫治療にとって非常に有利である。
【０００４】
圧迫衣類または「スリーブ」のステイアップ能力は、脚の自然の形状によって複雑である。従来技術の多くのスリーブのような均一の形状の衣類は、脚に取り付けられた場合に、自然に下方へ動く傾向がある。図１は、従来技術の均一の形状のスリーブ１の例を例示する。従来技術のスリーブより大きい「ステイアップ」能力を有するスリーブに対するニーズが存在する。
【発明の概要】
【課題を解決するための手段】
【０００５】
（本発明の要約）
本発明の１つの局面において、圧迫治療を着用者の体に適用するための圧迫スリーブは、概して、適応可能なパネルを含み、パネルは、上部近位エッジ、下部遠位エッジ、両側の第１および第２の側部エッジ、並びに近位エッジから遠位エッジに延在する長手方向軸を含む。第１の上部過渡エッジは、上部近位エッジから第１の側部エッジに延在し、第１の上部過渡エッジは、概ね凹状または線形の形状のうちの１つを有する。第２の下部過渡エッジは、下部遠位エッジから第１の側部エッジに延在し、第２の下部過渡エッジは、概ね凹状または線形の形状を有する。少なくとも１つの膨張可能な嚢が、パネルに取り付けられており、ファスナーは、着用者の体に巻かれた構成においてパネルを固定することができる。
【０００６】
本発明の別の局面において、圧迫治療を着用者の四肢に適用するための圧迫衣類は、概して、少なくとも１つの膨張可能な嚢を含む圧迫スリーブを含む。圧迫スリーブは、少なくとも６個のエッジを含む外周を有し、圧迫治療を四肢に適用するために、少なくとも１つの嚢が四肢を囲むように、着用者の四肢を巻くように構成されている。スリーブの形状は、着用者の四肢に一致して、四肢において所定の位置にスリーブを保つ。
【０００７】
他の対象および特徴は、以下に部分的に明白になり、部分的に指摘される。
【０００８】
例えば、本発明は、以下の項目を提供する。
（項目１）
圧迫治療を着用者の体に適用するための圧迫スリーブであって、該スリーブは、
材料のパネルであって、該パネルは、
上部近位エッジ、下部遠位エッジ、両側の第１および第２の側部エッジ、並びに該近位エッジから該遠位エッジに延在する長手方向軸と、
第１の上部過渡エッジであって、該第１の上部過渡エッジは、該上部近位エッジから該第１の側部エッジに延在し、概ね凹状または線形の形状のうちの１つを有する、第１の上部過渡エッジと、
第２の下部過渡エッジであって、該第２の下部過渡エッジは、該下部遠位エッジから該第１の側部エッジに延在し、概ね凹状または線形の形状を有する、第２の下部過渡エッジと
を含む、材料のパネルと、
該パネルに取り付けられた少なくとも１つの膨張可能な嚢と、
該着用者の体に巻かれた構成において該パネルを固定するためのファスナーと
を含む、圧迫スリーブ。
（項目２）
上記第１の上部過渡エッジは、上記第２の下部過渡エッジより長い、上記項目に記載の圧迫スリーブ。
（項目３）
上記第１の上部過渡エッジおよび上記第２の下部過渡エッジは、凹状の形状である、上記項目のいずれかに記載の圧迫スリーブ。
（項目４）
上記パネルは、上記上部近位エッジから上記第２の側部エッジまで延在する第３の上部過渡エッジと、上記下部遠位エッジから該第２の側部エッジまで延在する第４の下部過渡エッジとをさらに含み、該第３の上部過渡エッジは、概ね凹状または線形の形状を有し、該第４の下部過渡エッジは、概ね凹状または線形の形状を有する、上記項目のいずれかに記載の圧迫スリーブ。
（項目５）
上記第１の上部過渡エッジ、上記第２の下部過渡エッジ、上記第３の上部過渡エッジおよび上記第４の下部過渡エッジは各々、凹状の形状である、上記項目のいずれかに記載の圧迫スリーブ。
（項目６）
上記スリーブは、該スリーブから延在する任意の細長い固定ストラップを有していない、上記項目のいずれかに記載の圧迫スリーブ。
（項目７）
上記パネルは、上記上部近位エッジ、上記下部遠位エッジ、上記第１および第２の側部エッジ、並びに上記第１の上部過渡エッジおよび上記第２の下部過渡エッジを含む外周を有し、該外周は、概ね細長い８角形の形状を有する、上記項目のいずれかに記載の圧迫スリーブ。
（項目８）
上記パネルは、上記上部近位エッジ、上記下部遠位エッジ、上記第１および第２の側部エッジ、並びに上記第１の上部過渡エッジおよび上記第２の下部過渡エッジを含む外周を有し、該外周は、概ね細長い６角形の形状を有する、上記項目のいずれかに記載の圧迫スリーブ。
（項目９）
上記パネルは、上記第２の側部エッジに沿ってフラップに分裂し、該第２の側部エッジにおいて２つのフラップが存在し、該２つのフラップの各々は、該第２の側部エッジのそれぞれの端部に隣接して位置決めされており、該パネルは、該２つのフラップの間に、該フラップのうちの１つの幅と少なくとも等しい幅を有する凹部をさらに含む、上記項目のいずれかに記載の圧迫スリーブ。
（項目１０）
上記２つのフラップは、互いから分岐する方向で上記パネルから延在する、上記項目のいずれかに記載の圧迫スリーブ。
（項目１１）
上記パネルは、下部パネル部分と上部パネル部分とを含み、該下部パネル部分は、上記上部近位エッジ、上記下部遠位エッジ、上記第１および第２の側部エッジ、並びに上記第１の上部過渡エッジおよび上記第２の下部過渡エッジを含み、該上部パネル部分は、上部近位エッジ、下部遠位エッジ、第１および第２の側部エッジ、並びに該上部近位エッジと該第１の側部エッジとの間に延在する第１の上部過渡エッジを含み、該第１の上部過渡エッジは、概ね凹状または線形の形状である、上記項目のいずれかに記載の圧迫スリーブ。
（項目１２）
上記上部パネル部分は、上記上部近位エッジと上記第２の側部エッジとの間に延在する第２の上部過渡エッジをさらに含み、該第２の上部過渡エッジは、概ね凹状または線形の形状である、上記項目のいずれかに記載の圧迫スリーブ。
（項目１３）
上記上部パネル部分は、概ね６角形の形状を有する、上記項目のいずれかに記載の圧迫スリーブ。
（項目１４）
圧迫治療を着用者の四肢に適用するための圧迫衣類であって、該衣類は、少なくとも１つの膨張可能な嚢を含む圧迫スリーブを含み、該スリーブは、少なくとも６個のエッジを含む外周を有し、該スリーブは、圧迫治療を該四肢に適用するために、少なくとも１つの嚢が該四肢を囲むように、該着用者の四肢を巻くように構成されており、該スリーブの形状は、該着用者の該四肢に一致して、該四肢において所定の位置に該スリーブを保つ、圧迫衣類。
（項目１５）
上記スリーブの上記エッジは、概して細長い８角形の形状で配列された８個のエッジを含む、上記項目のいずれかに記載の圧迫衣類。
【０００９】
（摘要）
着用者の体（例えば、脚）の部分への一致する適合性ために構成された圧迫スリーブ。圧迫スリーブは、少なくとも１つの膨張可能な嚢を含む。スリーブは、少なくとも６個のエッジを含む外周を有し、圧迫治療を四肢に適用するために、嚢が四肢を囲むように、着用者の脚を巻くように構成されている。スリーブの形状は、着用者の四肢に一致して、四肢において所定の位置にスリーブを保つ。
【図面の簡単な説明】
【００１０】
【図１】図１は、従来技術の圧迫スリーブの背面図である。
【図２】図２は、本発明の圧迫スリーブの前面図である。
【図３】図３は、はがれたスリーブの部分を有する圧迫スリーブの前面図である。
【図４】図４は、圧迫スリーブの背面図である。
【図５】図５は、スリーブの外側カバー上のループ材料を例示する拡大された部分正面図である。
【図６】図６は、着用者の脚に巻かれた圧迫スリーブの透視図である。
【図７】図７は、本発明の圧迫スリーブの第２の実施形態の背面図である。
【図８】図８は、本発明の圧迫スリーブの第３の実施形態の背面図である。
【図９】図９は、本発明の圧迫スリーブの第４の実施形態の背面図である。
【図１０】図１０は、本発明の圧迫スリーブの第５の実施形態の背面図である。
【図１１】図１１は、本発明の圧迫スリーブの第６の実施形態の背面図である。
【図１２】図１２は、本発明の圧迫スリーブの第７の実施形態の背面図である。
【図１３】図１３は、着用者の脚に巻かれた第７の実施形態の圧迫スリーブの透視図である。
【発明を実施するための形態】
【００１１】
対応する参照文字は、図面を通じて対応するパーツを示す。
【００１２】
（好ましい実施形態の説明）
ここで図面を参照すると、本明細書に開示された圧迫スリーブが、ここで詳細に説明され、同様な数字が、同一または対応する構成要素を識別する。特に図２および図３を参照すると、本発明の圧迫衣類（または「スリーブ」）が、概して１１で示される。圧迫衣類は、繰り返して連続的な圧迫治療を着用者の脚に適用するために、衣類に圧縮された空気を供給するコントローラ（示されていない）に接続されることができる。圧迫スリーブは、本発明の範囲内で、体の他の部分に適合するように構成され得る。スリーブ１１は、着用者の脚の周りに配置されるための大きさおよび形状を有する膝までのスリーブである。圧迫スリーブは、異なる構成（例えば、腿までのスリーブ）になり得ることが理解される。（以下により完全に説明される）腿までのスリーブの一実施形態が、図１２および１３において例示される。着用者の体の他の肢の周りに配置されるための他のタイプの圧迫デバイスも本発明の範囲内にある。これらのデバイスは、繰り返して、および／または連続的に圧迫を適用しないデバイスを含む。
【００１３】
図３を参照すると、圧迫スリーブ１１は、一緒に固定された４つの層を含む。圧迫スリーブ１１は、概して１３で示される内層を含み、内層の上において、概して１５で示される第１の中間層（第１の嚢層）が横たわる。概して１７で示される第２の中間層（第２の嚢層）は、第１の中間層１５上に横たわり、かつ第１の中間層１５に固定されている。概して１９で示される外層またはカバーは、第２の中間層１７上に横たわる。例示された実施形態において、内層１３および外層１９は、スリーブの外周を規定する外周エッジを有するパネルを規定する。パネルは、より多い数、またはより少ない数の部品を有し得ることが理解される。層１３〜１９は、任意の適切な方法で、例えば、高周波数溶接、接着、または他の化学および／または機械的処理によって一緒に固定され得る。例示された実施形態において、層１３〜１９は、上部近位エッジ２２、下部遠位エッジ２４、および両側の側部エッジ２６、２８を含むスリーブ１１の外周付近で固定されている。長手方向軸ＬＡは、上部近位エッジ２２から下部遠位エッジ２４まで延在する。
【００１４】
外周は、上部近位エッジ２２から第１の側部エッジ２６まで延在する第１の上部過渡エッジ３０をさらに含む。第２の下部過渡エッジ３２は、下部遠位エッジ２４から第１の側部エッジ２６まで延在する。第１の上部過渡エッジ３０は、約４０度の角度α（１つの角度のみが示される）で上部近位エッジ２２から延在する。第１の上部過渡エッジ３０は、概して凹形の形状を有する。第２の下部過渡エッジ３２は、概して凹形の形状を有する。
【００１５】
第３の上部過渡エッジ３４は、上部近位エッジ２２から第２の側部エッジ２８まで延在する。第４の下部過渡エッジ３６は、下部遠位エッジ２４から第２の側部エッジ２８まで延在する。第３の上部過渡エッジ３４は、ある角度または約４０°（角度
【００１６】
【化１】
2013078572.tif 000003
）で延在し、第４の下部過渡エッジ３６は、４０度の角度β（１つの角度のみが示される）で下部遠位エッジ２４から延在する。例示された実施形態において、上部および下部過渡エッジ３０、３２、３４および３６の全体的形状は、概して凹形である。しかしながら、上部および下部過渡エッジ３０、３２、３４および３６の全体的形状は、本発明の範囲から逸脱することなしに、他の構成（例えば、概ね線形）を有することができる。スリーブ１１のさまざまな外周エッジの間に角がある。角は各々、小さい曲率半径を有し、概して凸形の形状である。
【００１７】
使用中、内層１３は、着用者の四肢に最も隣接して配置され、着用者の四肢と接触し、外層１９は、着用者の四肢から最も遠い。本発明の範囲は、４層に限定されないことが理解される。また、スリーブの層の構成は、例示された実施形態において開示された構成と異なり得ることが理解される。
【００１８】
フック部品４０（図４）は、フラップ４４で内層１３の内側表面に取り付けられる。外層１９の外側表面は、ループ４６（図５）を有するループ材料から形成される。これは、スリーブ１１が着用者の脚の円周に巻かれた場合（図６）、フック部品４０が、外側カバー１９の外側表面に沿うどこにでも固定されることを可能にする。これは、スリーブ１１が、異なる着用者の脚の円周に対して、実質的にフリーサイズの構成であることを可能にする。さらに、ループ４６を有する外側カバー１９は、診療医が、フック部品４０を整列させる必要なしに、スリーブ１１を着用者の四肢に迅速に固定することを可能にする。本発明の範囲内で脚にスリーブを固定するためのファスナーのような他の構造が使用され得る。
【００１９】
第１および第２の中間層１５、１７は、それぞれ、空気不浸透性材料（広い意味で、「嚢材料」）の単一シートを含む。例示された実施形態において、シート１５、１７は、柔軟なＰＶＣ材料で作られ得る。内層１３および外層１９は、ポリエステル材料で作られ得る。内層１３は、吸着性であり、また吸い上げを提供し得、快適な界面を着用者の体に提供するための柔らかい構造を有する。第２の中間層１７は、それぞれ、近位嚢２５、中間嚢２７および遠位嚢２９を規定する嚢シームライン２３に沿って第１の中間層１５に密閉して固定され、シームライン２３は、スリーブ１１に沿って長手方向に間隔を空けられている。中間層１５、１７は、他の位置（例えば、それらの外周の周り）において一緒に固定され得ることが理解される。また、嚢の数は、本発明の範囲から逸脱することなしに、３つと異なり得る。本明細書において使用されるように、用語「近位」、「遠位」、および「中間」は、スリーブが着用者の四肢に固定される場合に、スリーブの部品、バーツ等の相対的位置を表す。例えば、「近位」部品等は、着用者の胴体への着用者の四肢の取り付けの点に最も隣接して配置され、「遠位」部品等は、取り付けの点から最も遠く配置され、「中間」部品は、概して近位部品と遠位部品との間のどこかに配置される。
【００２０】
各嚢２５、２７、２９は、嚢を膨張させるために、専用の近位嚢チューブ３１、中間嚢チューブ３３、または遠位嚢チューブ３５のそれぞれを介して圧縮流体の供給源（示されていない）から流体を受け取り得る。しかしながら、チューブラインは、本発明を実践するための嚢に対して、専用である必要がない。各チューブ３１、３３、３５は、少なくとも部分的に、第２の中間層１７と外側カバー１９との間に配置され、それぞれのシームライン２３によって、第１の中間層１５と第２の中間層１７との間に、それぞれの嚢２５、２７，２９に固定される。チューブ３１〜３５を嚢２５〜２９に固定する他の方法は、本発明の範囲内にある。チューブ３１、３３、３５の遠位端部は、コネクタ４１を用いて一緒に組まれ、コネクタ４１は、チューブを圧縮流体の供給源に流体的に接続するように適合される。圧縮流体の供給源は、マイクロプロセッサの制御の空気圧縮器であり得、空気圧縮器は、当技術分野において概して既知であるように、連続的に嚢を加圧する。例示的な空気圧縮器は、Ｂｏｃｋに対する米国特許第５，８７６，３５９号において記載され、上記文献の開示内容が、参照することによって本明細書において援用される。
【００２１】
スリーブ１１の上部近位エッジ２２、下部遠位エッジ２４、側部エッジ２６および２８、並びに上部および下部過渡エッジ３０、３２、３４、および３６は、図４において点線輪郭Ｏによって例示される、スリーブの概ね細長い８角形の形状を規定する。スリーブのエッジは、例示された実施形態におけるエッジ２２、２４、３０、３２、３４、および３６のような湾曲を有し得、またはエッジ２６および２８のような直線（「線形」）であり得る。しかしながら、各曲がったエッジの曲率半径は、隣接するエッジの間の過渡湾曲と比べて大きい。従って、スリーブの細長い８角形の形状が容易に認識される。スリーブ１１の細長い８角形の形状は、従来のスリーブより着用者の下腿にうまく合い、その一方で、十分な圧迫治療を脚に提供するために、依然、従来技術のスリーブによって示される脚の円周表面の被覆を維持する。
【００２２】
膨張された場合、従来技術のスリーブは、スリーブと着用者の脚との間にギャップを形成する傾向がある。これらのギャップは、脚の所定の位置に安定し、所望の圧迫治療を脚に提供するスリーブの能力を防げる。スリーブ１１の過渡エッジ３０、３２、３４、３６は、スリーブ１１が着用者の脚に巻かれ、嚢２５、２７、２９が膨張された場合に、ギャップを形成し得る余分の材料を削除する形状を提供する。従って、スリーブ１１の変更された形状は、着用者の脚に直接に向き合う内層１３の一部分が、スリーブ１１が着用者の脚に巻かれ、嚢２５、２７、２９が膨張された場合に、ギャップを形成することなしに、着用者の脚に接触することを可能にする。スリーブ１１は、スリーブを所定の位置に保持するための固定ストラップ（すなわち、スリーブに取り付けられ、かつ着用者の脚を巻くために構成された細長い片状の材料）または他の手段を使用せずに、脚において確実な（ｐｏｓｉｔｉｖｅ）位置を提供し得る。従って、スリーブ１１は、スリーブ１１を所定の位置に保つための追加のストラップ部品よりも、その形状およびエッジの輪郭に頼り、結果としてより効率的な圧迫治療を着用者にもたらす。
【００２３】
図７を参照すると、本発明の第２の実施形態のスリーブが、概して１１１で示される。スリーブ１１１は、第１の実施形態のスリーブ１１に非常に類似し、ただし、第２の実施形態のスリーブは、側部エッジ１２８において１対のフラップ１４４を有し、各フラップは、フック部品１４０を有する。
【００２４】
図８を参照すると、本発明の第３の実施形態のスリーブが、概して２１１で示される。スリーブ２１１は、第１および第２の実施形態のスリーブ１１および１１１に類似し、ただし、第３の実施形態のスリーブは、側部エッジ２２６において３つのフラップ２４４を有し、各フラップは、フック部品２４０を有する。上部近位エッジ２２２と第２の側部エッジ２２８との間、または下部遠位エッジ２２４と第２の側部エッジ２２８との間に過渡エッジがない。結果として、スリーブ２１１は、第１および第２の実施形態の概ね細長い８角形の形状を有せず、細長い傾いた６角形のような６辺の形状を有する。しかしながら、エッジ２３０および２３２は、スリーブ２１１を脚に確実に位置決めするための好ましい輪郭を提供する。
【００２５】
図９を参照すると、本発明の第４の実施形態のスリーブが、概して３１１で示される。スリーブ３１１は、第３の実施形態のスリーブ２１１に類似し、ただし、第４の実施形態のスリーブは、第２の側部エッジ３２８において３つのフラップ３４４を有するストラップ部分３５０を有し、各フラップは、フック部品３４０を有する。ストラップ部分３５０は、凹んだ部分３５２、３５４によって規定される。それ故に、第３の実施形態のように、スリーブ３１１は、第１および第２の実施形態の概ね８角形の形状を有しない。しかしながら、それぞれ、上部近位エッジ３２２から下部遠位エッジ３２４まで延在するエッジ３３０および３３２は、スリーブ３１１を脚に確実に位置決めするための好ましい輪郭を提供する。
【００２６】
図１０を参照すると、本発明の第５の実施形態のスリーブが、概して４１１で示される。スリーブ４１１は、第３の実施形態のスリーブ２１１に類似し、ただし、第５の実施形態は、それぞれにフック部品４４０を有する２つのフラップ４４４しか有さない。スリーブ４１１は、それぞれ、上部近位エッジ４２２と第１の側部エッジ４２６との間、および下部遠位エッジ４２４と第１の側部エッジ４２６との間に延在する過渡エッジ４３０および４３２を有する。凹部４４２は、フラップ４４４の間に、スリーブ４１１の第２の側部エッジ４２８上に延在して、スリーブの材料を減らし、スリーブ４１１のエッジにおいて材料の量を減らすことによって全体的適合性を向上させることにより、スリーブが着用されるときにスリーブと脚との間に形成し得るギャップを除去する。概して、スリーブの外周エッジは、線形または凹状であり得る。しかしながら、エッジが湾曲される場合、エッジは、１８０°より小さく、一般的に１８０°よりかなり小さい湾曲の中心回りの角度で延在する。従って、凹部４４２の境界は、スリーブ４１１の外周エッジとは見なされない。
【００２７】
図１１を参照すると、本発明の第６の実施形態のスリーブが、概して５１１で示される。スリーブ５１１は、第４の実施形態のスリーブ３１１と同一であり、ただし、第６の実施形態のストラップ部分５３０は、それぞれにフック部品５４０を有する２つの分岐する細長いフラップ５４４を含む。フラップ５４４は、スリーブ５１１が着用者の脚に巻かれるときに、互いに交差するように構成される。
【００２８】
図１２および１３を参照すると、本発明の第７の実施形態のスリーブが、概して６１１で示される。スリーブ６１１は、下腿部分６５０と腿部分６５３とを有する腿までのスリーブである。下腿部分６５０は、第２の実施形態のスリーブ１１１に非常に類似している。スリーブ６１１は、下腿部分６５０と腿部分６５３との間に延在する１対のブリッジセクション６５７を含むブリッジ部分６５５をさらに含む。ブリッジセクション６５７は、スリーブ６１１が着用者の脚に巻かれた場合に、着用者の膝の背後に配置される開口部６５９を規定する。腿部分６５３は、主体セクション６６１と、主体セクションから横に延在する１対のフラップ６４４とを含む。主体セクション６６１は、図１２の点線輪郭Ｈによって例示された概ね６角形の形状を有し、点線輪郭Ｈは、スリーブ２１１が着用者の脚に巻かれた場合に、着用者の腿に対して合うように構成される。腿部分６５３は、それぞれ、上部近位エッジ６２２からそれぞれの側部エッジ６２６および６２８に延在する過渡エッジ６３０および６３２を含む。過渡エッジは、概ね線形であり、上部近位エッジ６２２から約３０度の角度α’（１つの角度のみが示される）で延在する。代替的には、側部エッジ６２６および６２８のうちの１つのみが、側部エッジを有し得る。
【００２９】
本発明を詳細に説明したが、変更およびバリエーションは、添付した請求範囲に規定される本発明の範囲から逸脱せずに可能であることが明白である。
【００３０】
本発明、または本発明の好ましい実施形態の要素を導入するときに、冠詞「ａ」、「ａｎ」、「ｔｈｅ」、および「ｓａｉｄ」は、要素のうちの１つ以上があることを意味するように意図される。用語「ｃｏｍｐｒｓｉｎｇ」、「ｉｎｃｌｕｄｉｎｇ」、および「ｈａｖｉｎｇ」は、リストにあげた要素以外の追加要素があり得ることが包括的であり、かつそれを意味するように意図される。
【００３１】
以上を考慮して、本発明のいくつかの目的が達成され、そして他の有利の結果が達成されることが理解される。
【００３２】
本発明の範囲から逸脱することなしに、さまざまな変化が、上記の構造に加えられ得るように、前述に含まれ、添付の図面に示される全部の事項は、限定する意味ではなく、例示的な意味として解釈されるべきであることが意図される。
【図１】
2013078572.tif 000004
【図２】
2013078572.tif 000005
【図３】
2013078572.tif 000006
【図４】
2013078572.tif 000007
【図５】
2013078572.tif 000008
【図６】
2013078572.tif 000009
【図７】
2013078572.tif 000010
【図８】
2013078572.tif 000011
【図９】
2013078572.tif 000012
【図１０】
2013078572.tif 000013
【図１１】
2013078572.tif 000014
【図１２】
2013078572.tif 000015
【図１３】
2013078572.tif 000016